(57)【要約】【課題】キャリア再生回路を用いることなく同期検波を実現することができ、複雑な調整を不要にすると共に検波効率の向上を図ることができるワイヤレスＩＣカード読取り装置を提供することを目的とする。【解決手段】同期検波回路を有し、ワイヤレスＩＣカードとの間で無線通信を行い、ワイヤレスＩＣカードからの応答信号を読み取るワイヤレスＩＣカード読取り装置１００であって、送信搬送波信号を発振する発振回路１０２と、送信信号を変調信号として出力する変調増幅部１０７と、変調信号に基づいて送信搬送波信号を変調する送信変調増幅部１０５と、同期検波回路としてのＤＢＭ１２０を有し、受信電波信号を復調する受信復調部１１４とを有し、ＤＢＭは、受信電波信号と発振回路からの送信搬送波信号とを入力する。【選択図】　図１
2004070804.tif 000002
【特許請求の範囲】
【請求項１】
同期検波回路を有し、ワイヤレスＩＣカードとの間で無線通信を行い、前記ワイヤレスＩＣカードからの応答信号を読み取るワイヤレスＩＣカード読取り装置であって、
送信搬送波信号を発振する発振回路と、送信信号を変調信号として出力する変調増幅部と、前記変調信号に基づいて前記送信搬送波信号を変調する送信変調増幅部と、前記同期検波回路としてのＤＢＭを有し、受信電波信号を復調する受信復調部とを有し、
前記ＤＢＭは、前記受信電波信号と前記発振回路からの送信搬送波信号とを入力することを特徴とするワイヤレスＩＣカード読取り装置。
【請求項２】
同期検波回路を有し、ワイヤレスＩＣカードとの間で無線通信を行い、前記ワイヤレスＩＣカードからの応答信号を読み取るワイヤレスＩＣカード読取り装置であって、
送信搬送波信号を発振する発振回路と、送信信号を変調信号として出力する変調増幅部と、前記変調信号に基づいて前記送信搬送波信号を変調する送信変調増幅部と、前記発振回路からの送信搬送波信号を入力する前記同期検波回路としてのＤＢＭを有し送信信号を変調すると共に受信電波信号を復調する変復調部と、前記ＤＢＭの入力側に配設された第１の切り換えスイッチと、前記ＤＢＭの出力側に配設された第２の切り換えスイッチと、前記発振回路と送信時における前記ＤＢＭの出力側との間に配設された第３の切り換えスイッチとを有し、
送信時には、前記第１の切り換えスイッチは前記変調信号を前記ＤＢＭに入力し、前記第２の切り換えスイッチは前記ＤＢＭからの信号を前記送信変調増幅部の増幅回路に出力し、
受信時には、前記第１の切り換えスイッチは前記受信電波信号を前記ＤＢＭに入力し、前記第２の切り換えスイッチは前記ＤＢＭからの信号を前記変復調部の低域フィルタに出力し、前記第３の切り換えスイッチは前記発振回路と前記送信時におけるＤＢＭの出力側とを直接に接続することを特徴とするワイヤレスＩＣカード読取り装置。
【発明の詳細な説明】
【０００１】
【発明の属する技術分野】
本発明は、同期検波回路を有し、ワイヤレスＩＣカードとの間で無線通信を行い、ワイヤレスＩＣカードからの応答信号を読み取るワイヤレスＩＣカード読取り装置に関するものである。
【０００２】
【従来の技術】
従来のワイヤレスＩＣカード読取り装置は、変調方式が振幅変調方式（ＡＭ方式）であるので、受信復調部には、もっとも一般的なダイオードを用いたエンベロープ検波が用いられている。
【０００３】
図３は、従来のワイヤレスＩＣカード読取り装置を示すブロック図である。
【０００４】
図３において、１００ＭはワイヤレスＩＣカード読取り装置、１０１は１３．５６ＭＨｚの水晶振動子、１０２は水晶振動子１０１を用いて１３．５６ＭＨｚの送信搬送波周波数の送信搬送波信号を発振する発振回路、１０３は発振回路１０２で発振した送信搬送波信号を増幅し安定化させるための緩衝増幅回路、１０４は送信電力増幅回路１０５において充分な励振ができるように増幅する励振増幅回路、１０６は低域フィルタ、１０７は送信信号ａを入力して変調信号を出力する変調増幅部、１０８は１０６ｋｂｐｓのＮＲＺ符号方式のデジタル信号としての送信信号ａを増幅し、変調増幅回路１１０を充分に励振できるように増幅する増幅回路、１０９は低域フィルタとしてのベースバンドフィルタ、１１１は送信アンテナ１１２と受信アンテナ１１３とを共用するアンテナ、１１４は受信復調部、１１５は１３．５６ＭＨｚの帯域フィルタ、１１６はダイオード検波回路、１１７は低域フィルタ、１１８は信号増幅回路、１１０は１０６ｋｂｐｓの受信信号ｂを出力する波形整形回路である。
【０００５】
図３のワイヤレスＩＣカード読取り装置の概略動作を説明する。増幅回路１０８の後段には、変調波の不要な周波数成分により電波の質を悪化させないように低域フィルタ（ベースバンドフィルタ）１０９が設けられている。変調増幅回路１１０により増幅された送信信号は変調信号ｍとして送信電力増幅回路１０５に供給することで、送信電力増幅回路１０５の出力信号としてＡＭ波信号が得られる。このＡＭ波信号は低域フィルタ１０６により高調波歪み成分が取り除かれ、送信アンテナ１１２により送信される。
【０００６】
図４は一般的なワイヤレスＩＣカードを示す回路図である。
【０００７】
図４において、２００はワイヤレスＩＣカード、２０１はアンテナコイル、２０２は制御部、２０３は負荷変動回路、２０４は検波器、２０５はメモリ２０６を有する制御回路である。
【０００８】
図３のワイヤレスＩＣカード読取り装置１００Ｍおよび図４のワイヤレスＩＣカード２００について、その動作を説明する。なお、送信信号ａを発生する送信信号発生部や受信信号ｂを処理する受信信号処理部については、本発明とは関係が無いので、説明は省略する。
【０００９】
図３において、送信アンテナ１１２から送信されている１３．５６ＭＨｚの送信波は、図４のカード側アンテナコイル２０１に誘導され、検波ダイオード２０４により検波整流され、その検波整流された信号の中の成分は直流成分と送信波のＡＭ変調信号成分（以下、「検波信号」という）があり、制御回路２０５に導かれていて前記検波整流された直流成分が制御回路２０５の直流電源として作用する。同時に前記検波信号は、制御回路２０５の解析手段により所望の受信信号かどうかの解析と判定を行い、所望の受信信号でない場合は制御回路２０５は何ら反応せず、応答信号ｄには何も現れない。また、所望の受信信号の場合には、ロジック動作の応答信号ｄを負荷変動回路２０３へ送出する。負荷変動回路２０３は、一般的に固定キャパシタと可変キャパシタまたは可変抵抗器の並列回路の構成となっていて、応答信号ｄが無い場合は、アンテナコイル２０１と前記固定キャパシタの並列共振周波数が１３．５６ＭＨｚとなって共振しており、もっとも送信波を誘起する状態にあり、応答信号ｄがある場合は、前記可変キャパシタまたは可変抵抗器が作用することで、前記１３．５６ＭＨｚの共振点が変化し、送信波の誘起が少なくなる。アンテナコイル２０１の誘起の変化は応答信号ｄと同じ変化となり、その変化は、アンテナコイル２０１に近接している図５の送信アンテナ１１２の送信波の励起の変化となる。結果的に送信アンテナ１１２の送信電圧が応答信号ｄのロジック信号と同じ変化をする作用となり、最終的に送信アンテナ１１２の近傍に配置した受信アンテナ１１３には送信アンテナ１１２の送信電圧が誘起することになり、カード側からのロジック応答信号ｄの変調のかかっている振幅変調電波が受信できることになり、この受信振幅変調波は受信復調部１１４に受信電波信号として入力される。この受信電波信号は、１３．５６ＭＨｚの帯域フィルタ１１５を通過し、ダイオード検波回路１１６においてダイオード検波（エンベロープ検波）により検波され、検波信号となる。ダイオード検波回路１１６から出力される検波信号はレベルが低いので、低域フィルタ１１７を通過した後に、信号増幅回路１１８で増幅される。信号増幅回路１１８から出力される増幅検波信号は、コンパレータを用いた波形整形回路１１９によりデジタル信号ｂ（つまり受信信号ｂ）となる。このとき、受信アンテナ１１３で生じた受信電波信号は、ワイヤレスＩＣカード２００の負荷変動回路２０３により振幅変調された信号になっており、この振幅変調された受信電波信号を復調し、所定のレベルまで増幅して波形整形することにより、デジタル信号ｂを取り出すことができる。
【００１０】
カード側アンテナコイル２０１の負荷変動制御による発生する振幅変調の変調度は、アンテナコイル２０１と送信アンテナ１１２との距離つまり結合度により変化するので、ワイヤレスＩＣカード２００を一定の位置に保つことは人手の操作としては困難であり、常に結合度が変化しているものとして取り扱わなければならない。つまり変調度が１以上から０近くまで変化することを想定しなければならず、図３におけるダイオード検波回路１１６によるエンベロープ検波による検波方式では、検波入力の電圧がダイオードの順方向電圧降下（約０．６Ｖ）以上の振幅が必要で、しかも検波後の信号電圧つまり検波効率が悪く、検波後の信号増幅回路１１８の信号対雑音比（Ｓ／Ｎ）の性能が悪化しやすい。また、信号対雑音比（Ｓ／Ｎ）が悪いと波形整形回路１１９の信号処理回路の能力により受信できる信号レベルに限界があり、結果的に、ワイヤレスＩＣカード２００と送信アンテナ１１２との通信可能な距離を伸ばすという改善に対し、本来のダイオード検波回路１１６によるエンベロープ検波による方式では効果的な改善方法がなく限界といわれている。
【００１１】
通信可能な距離を伸ばすという改善はワイヤレスＩＣカードの言わば宿命的課題であり、距離が伸びればカードを持った操作者は必要以上に近付けるなどの気を使わないで、カードと読取り機との間のやり取りを行うことができるようになり、円滑かつ快適なワイヤレスＩＣカード操作環境を構築できるようになる。
【００１２】
検波効率のよい受信回路をもつワイヤレスＩＣカード読取り装置を実現するには、同期検波方式（一般的にはプロダクト検波と呼ばれる）を用いた検波回路があり、ダブル・バランスド・ミキサ（以下、「ＤＢＭ」という）を用いる同期検波回路を構成する図５のようなワイヤレスＩＣカード読取り装置１００Ｎが考えられて実用化が可能である。
【００１３】
次に、図５の構成を有する該装置の仕組みと動作について説明を行う。なお、図５は検波効率を改善するために同期検波を用いたワイヤレスＩＣカード読取り装置を示すブロック図である。
【００１４】
図５において、構成要素１０１〜１０９は図３と同様のものであり、同一符号を付して、その詳細説明は省略する。１２０はＤＢＭ、１２１はキャリア再生回路、１２２はＰＬＬ回路、１２３は低域フィルタ（以下、「ＬＰＦ」という）、１２４は比較周波数発振回路である。これらの構成による同期検波方式を用いた検波回路についてその動作について説明を行う。
【００１５】
まずキャリア再生回路１２１について説明する。その目的は、受信アンテナ１１３から帯域フィルタ１１５を通って受信した１３．５６ＭＨｚのＡＭ受信波から搬送波成分と同じ周波数で同期した信号を作り出す回路ブロックであり、その動作は電圧可変周波数発振器（ＶＣＯ）と呼ばれる比較周波数発振回路１２４で１３．５６ＭＨｚ帯の信号を発振しておいて、ＰＬＬ（位相同期固定）回路で前記ＡＭ受信波と比較を行い、前記ＶＣＯの信号と前記ＡＭ受信波の誤差信号を取り出し、ＬＰＦ１２３により平滑し、前記ＶＣＯの信号として前記ＡＭ受信波の搬送波と全く同じ周波数で位相同期のとれた信号を作り出すことができる。この信号は再生キャリアと呼ばれ、ＤＢＭを用いた同期検波には不可欠である。
【００１６】
ＤＢＭ１２０の同期検波の作用については、図６を用い、その動作原理を説明する。図６（ａ）は一般的なＤＢＭの構成を表す回路図であり、図６（ｂ）は図６（ａ）のＤＢＭの動作波形を表す波形図である。
【００１７】
図６（ａ）に示すＤＢＭ６は、リング状に配置されたダイオードＤ１，Ｄ２，Ｄ３，Ｄ４と位相分配器と呼ばれるトランスＴ１とＴ２から構成され、３つの端子対（以下、「ポート」という）を有している。このような構成のＤＢＭ６について、その動作を説明する。ポート１とポート３へそれぞれ信号を与えた場合において、ポート２の出力に現れる出力波形は、図６（ｂ）のように、ポート３の信号の極性の正の半サイクルの時間にはダイオードＤ１とＤ２がオンとなり、ポート３の信号の極性の負の半サイクルの時間にはダイオードＤ３とＤ４がオンとなることを繰り返し、上記負の半サイクルの時間にはポート１の入力信号の位相が１８０度反転した波形の信号がポート２の信号として現れる。
【００１８】
この作用は、ポート１に１３．５６ＭＨｚの受信波を与え、ポート３には前記説明の比較周波数１３．５６ＭＨｚの再生搬送波を与えたときに、図６（ｂ）に示すように、ポート１とポート３の信号の乗算した成分がポート２に現れることを意味しているので、結局受信した信号の中から変調波を取り出すことができ、検波回路として動作することができる。この検波方式は、従来のダイオード検波回路１１６によるエンベロープ検波に対し、ＤＢＭを用いたダイレクトコンバージョン検波と一般的に呼ばれていて、図７に示すようなトランジスタやＩＣなどを用いたアクティブ型と呼ばれるＤＢＭを用いると変換利得が得られるので、さらに高効率のＡＭ検波を行うことができる。図７は一般的なアクティブ型ＤＢＭを示す回路図である。通常は、このアクティブ型ＤＢＭが用いられる場合が多く、図６（ａ）のポート１には図７の端子１、４が相当し、同様にポート２には端子６、１２が、そしてポート３には端子８、１０が相当し、動作原理は図６と同様なので、その詳細説明は省略する。
【００１９】
【発明が解決しようとする課題】
しかしながら、上記従来のワイヤレスＩＣカード読取り装置１００Ｎでは、ＤＢＭ１２０を用いた同期検波が用いられているが、回路の特性上キャリア再生回路１２１が不可欠であり、このキャリア再生回路１２１は構成が複雑でキャリア再生のための制御や調整が複雑であるという問題点を有していた。
【００２０】
このワイヤレスＩＣカード読取り装置では、キャリア再生回路を用いることなく同期検波を実現することができることが要求されている。
【００２１】
本発明は、この要求を満たすため、キャリア再生回路を用いることなく同期検波を実現することができ、複雑な調整を不要にすると共に検波効率の向上を図ることができるワイヤレスＩＣカード読取り装置を提供することを目的とする。
【００２２】
【課題を解決するための手段】
上記課題を解決するために本発明のワイヤレスＩＣカード読取り装置は、同期検波回路を有し、ワイヤレスＩＣカードとの間で無線通信を行い、ワイヤレスＩＣカードからの応答信号を読み取るワイヤレスＩＣカード読取り装置であって、送信搬送波信号を発振する発振回路と、送信信号を変調信号として出力する変調増幅部と、変調信号に基づいて送信搬送波信号を変調する送信変調増幅部と、同期検波回路としてのＤＢＭを有し、受信電波信号を復調する受信復調部とを有し、ＤＢＭは、受信電波信号と発振回路からの送信搬送波信号とを入力する構成を備えている。
【００２３】
これにより、キャリア再生回路を用いることなく同期検波を実現することができ、複雑な調整を不要にすると共に検波効率の向上を図ることができるワイヤレスＩＣカード読取り装置が得られる。
【００２４】
【発明の実施の形態】
本発明の請求項１に記載のワイヤレスＩＣカード読取り装置は、同期検波回路を有し、ワイヤレスＩＣカードとの間で無線通信を行い、ワイヤレスＩＣカードからの応答信号を読み取るワイヤレスＩＣカード読取り装置であって、送信搬送波信号を発振する発振回路と、送信信号を変調信号として出力する変調増幅部と、変調信号に基づいて送信搬送波信号を変調する送信変調増幅部と、同期検波回路としてのＤＢＭを有し、受信電波信号を復調する受信復調部とを有し、ＤＢＭは、受信電波信号と発振回路からの送信搬送波信号とを入力することとしたものである。
【００２５】
この構成により、受信電波信号と発振回路からの送信搬送波信号とをＤＢＭに入力して同期検波回路を構成する、すなわち送信搬送波信号を受信電波信号を復調して受信信号を得るための再生キャリア信号として用いることができるので、従来は必要であったキャリア再生回路を用いることなく同期検波を実現することができ、複雑な調整を不要にすると共に検波効率の向上を図ることができ、ワイヤレスＩＣカードとの距離を伸ばすことができるという作用を有する。
【００２６】
請求項２に記載のワイヤレスＩＣカード読取り装置は、同期検波回路を有し、ワイヤレスＩＣカードとの間で無線通信を行い、ワイヤレスＩＣカードからの応答信号を読み取るワイヤレスＩＣカード読取り装置であって、送信搬送波信号を発振する発振回路と、送信信号を変調信号として出力する変調増幅部と、変調信号に基づいて送信搬送波信号を変調する送信変調増幅部と、発振回路からの送信搬送波信号を入力する同期検波回路としてのＤＢＭを有し送信信号を変調すると共に受信電波信号を復調する変復調部と、ＤＢＭの入力側に配設された第１の切り換えスイッチと、ＤＢＭの出力側に配設された第２の切り換えスイッチと、発振回路と送信時におけるＤＢＭの出力側との間に配設された第３の切り換えスイッチとを有し、送信時には、第１の切り換えスイッチは変調信号をＤＢＭに入力し、第２の切り換えスイッチはＤＢＭからの信号を送信変調増幅部の増幅回路に出力し、受信時には、第１の切り換えスイッチは受信電波信号をＤＢＭに入力し、第２の切り換えスイッチはＤＢＭからの信号を変復調部の低域フィルタに出力し、第３の切り換えスイッチは発振回路と送信時におけるＤＢＭの出力側とを直接に接続することとしたものである。
【００２７】
この構成により、請求項１に記載の作用を有すると共に、送信時にもＤＢＭを用いて直交変調による振幅変調波信号を生成することができるので、変調増幅回路を不要とし、消費電力の低減を図ることができるという作用を有する。
【００２８】
以下、本発明の実施の形態について、図１、図２を用いて説明する。
【００２９】
（実施の形態１）
図１は、本発明の実施の形態１によるワイヤレスＩＣカード読取り装置を示すブロック図である。
【００３０】
図１において、構成要素１０１〜１１５、１１７〜１２０は図５と同様のものなので、同一符号を付し、説明は省略する。１００はワイヤレスＩＣカード読取り装置である。図１に示す構成が図５の構成と異なるところは、図５のキャリア再生回路１２１を無くし、観照増幅回路１０３からの信号をＤＢＭ１２０に入力した点である。ここで送信電力増幅回路１０５は送信変調増幅部を構成する。
【００３１】
このように構成されたワイヤレスＩＣカード読取り装置１００について、その動作を説明する。
【００３２】
従来の技術で説明したように受信アンテナ１１３に誘起した受信電波信号は帯域フィルタ１１５により不要な電波信号が除去され、ＤＢＭ１２０の信号入力端子（図示せず）に入力される。一方、発振回路１０２で発振され、緩衝増幅回路１０３で増幅された送信搬送波信号をＤＢＭ１２０のキャリア入力端子（図示せず）に入力することで、ＤＢＭ１２０の出力信号として、ビートダウンによる復調信号が得られる。復調信号は、低域フィルタ１１７を通過した後、信号増幅回路１１８にて所定のレベルまで増幅された後、波形整形回路１１９で波形整形され、受信信号ｂとして出力される。
【００３３】
このように、従来の技術では受信電波信号から復調用搬送波信号を取り出すキャリア再生回路を必要とするが、本実施の形態では、送信搬送波信号を受信再生キャリア信号として用いることができることに着目し、ＤＢＭ１２０での同期検波による復調を達成することができる。
【００３４】
以上のように本実施の形態によれば、送信搬送波信号を発振する発振回路１０２と、送信信号ａを変調信号ｍとして出力する変調増幅部１０７と、変調信号ｍに基づいて送信搬送波信号を変調する送信変調増幅部１０５と、同期検波回路としてのＤＢＭ１２０を有し、受信電波信号を復調する受信復調部１１４とを有し、ＤＢＭ１２０は、受信電波信号と発振回路１０２からの送信搬送波信号とを入力することにより、受信電波信号と発振回路１０２からの送信搬送波信号とをＤＢＭ１２０に入力して同期検波回路を構成する、すなわち送信搬送波信号を受信電波信号を復調して受信信号ｂを得るための再生キャリア信号として用いることができるので、従来は必要であったキャリア再生回路を用いることなく同期検波を実現することができ、複雑な調整を不要にすると共に検波効率の向上を図ることができ、ワイヤレスＩＣカード２００との距離を伸ばすことができる。
【００３５】
（実施の形態２）
図２は、本発明の実施の形態２によるワイヤレスＩＣカード読取り装置を示すブロック図である。
【００３６】
図１において、構成要素１０１〜１０９、１１１〜１１３、１１５、１１７〜１２０は図５と同様のものなので、同一符号を付し、説明は省略する。１００ＡはワイヤレスＩＣカード読取り装置、１２５は変復調部、１２６は第３の切り換えスイッチ、１２７は第１の切り換えスイッチ、１２８は第２の切り換えスイッチである。図２に示す構成が図１の構成と異なるところは、図１の変調増幅回路１１０を取り去り、第１、第２、第３の切り換えスイッチ１２７、１２８、１２６そして直流オフセット回路１２９を備えた点であり、図２のＴとＲは送信時および受信時の接触接点位置を表している。すなわち、ＤＢＭ１２０は、受信時Ｒのときは、実施の形態１のように検波器として動作し、送信時Ｔのときは、図７に示されるようにＡＭ変調器として動作し、実施の形態１に必要であった図１の変調増幅回路１１０を介することなく励振増幅回路１０４から送信電力増幅回路１０５により送信系を構成する。
【００３７】
このように構成されたワイヤレスＩＣカード読取り装置１００Ａについて、その動作を説明する。このワイヤレスＩＣカード読取り装置１００Ａは、実施の形態１の受信復調部１１４で用いていたＤＢＭ１２０を送信変調回路としても用いるように切り換えスイッチを設けたことに特徴がある。
【００３８】
切り換えスイッチ１２６〜１２８は、送信時と受信時とで接点Ｔと接点Ｒに切り替わるように制御される。切り換えスイッチ１２６〜１２８が受信時の接点Ｒに切り替えられているときの動作は実施の形態１における動作と同じであるので、その説明は省略する。切り換えスイッチ１２６〜１２８が送信時の接点Ｔに切り替えられているときには、送信信号ａは、増幅回路１０８で増幅され、ベースバンドフィルタ１０９を経由して、ＤＢＭ１２０の信号入力端子に入力される。これにより、緩衝増幅回路１０３からの送信搬送波信号にＡＭがかかり、ＤＢＭ１２０からＡＭ波信号として出力され、このＡＭ波信号は、切り換えスイッチ１２８を経由して、励振増幅回路１０４で増幅され、送信電力増幅回路１０５で電力増幅された送信電波信号となる。
【００３９】
以上のように本実施の形態によれば、送信搬送波信号を発振する発振回路１０２と、送信信号ａを変調信号として出力する変調増幅部１０７と、変調信号に基づいて送信搬送波信号を変調する送信変調増幅部１０４、１０５、１２０と、発振回路１０２からの送信搬送波信号を入力する同期検波回路としてのＤＢＭ１２０を有し送信信号を変調すると共に受信電波信号を復調する変復調部１２５と、ＤＢＭ１２０の入力側に配設された第１の切り換えスイッチ１２７と、ＤＢＭ１２０の出力側に配設された第２の切り換えスイッチ１２８と、発振回路１０２と送信時におけるＤＢＭ１２０の出力側との間に配設された第３の切り換えスイッチ１２６とを有し、送信時には、第１の切り換えスイッチ１２７は変調信号をＤＢＭ１２０に入力し、第２の切り換えスイッチ１２８はＤＢＭ１２０からの信号を送信変調増幅部の増幅回路１０４、１０５に出力し、受信時には、第１の切り換えスイッチ１２７は受信電波信号をＤＢＭ１２０に入力し、第２の切り換えスイッチ１２８はＤＢＭ１２０からの信号を変復調部１２５の低域フィルタ１１７に出力し、第３の切り換えスイッチ１２６は発振回路１０２と送信時におけるＤＢＭ１２０の出力側とを直接に接続することにより、実施の形態１に記載の作用効果と同様な作用効果を奏すると共に、送信時にもＤＢＭ１２０を用いて変調増幅回路１１０を必要とせず振幅変調波信号を送信することができるので、回路の低消費電力化を図ることができる。
【００４０】
【発明の効果】
以上説明したように本発明の請求項１に記載のワイヤレスＩＣカード読取り装置によれば、同期検波回路を有し、ワイヤレスＩＣカードとの間で無線通信を行い、ワイヤレスＩＣカードからの応答信号を読み取るワイヤレスＩＣカード読取り装置であって、送信搬送波信号を発振する発振回路と、送信信号を変調信号として出力する変調増幅部と、変調信号に基づいて送信搬送波信号を変調する送信変調増幅部と、同期検波回路としてのＤＢＭを有し、受信電波信号を復調する受信復調部とを有し、ＤＢＭは、受信電波信号と発振回路からの送信搬送波信号とを入力することにより、受信電波信号と発振回路からの送信搬送波信号とをＤＢＭに入力して同期検波回路を構成する、すなわち送信搬送波信号を受信電波信号を復調して受信信号を得るための再生キャリア信号として用いることができるので、従来は必要であったキャリア再生回路を用いることなく同期検波を実現することができ、複雑な調整を不要にすると共に検波効率の向上を図ることができ、ワイヤレスＩＣカードとの距離を伸ばすことができるという有利な効果が得られる。
【００４１】
請求項２に記載のワイヤレスＩＣカード読取り装置によれば、同期検波回路を有し、ワイヤレスＩＣカードとの間で無線通信を行い、ワイヤレスＩＣカードからの応答信号を読み取るワイヤレスＩＣカード読取り装置であって、送信搬送波信号を発振する発振回路と、送信信号を変調信号として出力する変調増幅部と、変調信号に基づいて送信搬送波信号を変調する送信変調増幅部と、発振回路からの送信搬送波信号を入力する同期検波回路としてのＤＢＭを有し、送信信号を変調すると共に受信電波信号を復調する変復調部と、ＤＢＭの入力側に配設された第１の切り換えスイッチと、ＤＢＭの出力側に配設された第２の切り換えスイッチと、発振回路と送信時におけるＤＢＭの出力側との間に配設された第３の切り換えスイッチとを有し、送信時には、第１の切り換えスイッチは変調信号をＤＢＭに入力し、第２の切り換えスイッチはＤＢＭからの信号を送信変調増幅部の増幅回路に出力し、受信時には、第１の切り換えスイッチは受信電波信号をＤＢＭに入力し、第２の切り換えスイッチはＤＢＭからの信号を変復調部の低域フィルタに出力し、第３の切り換えスイッチは発振回路と送信時におけるＤＢＭの出力側とを直接に接続することにより、請求項１に記載の効果を奏すると共に、送信時にもＤＢＭを用いて直交変調による振幅変調波信号を生成することができるので、変調増幅回路を不要とし、消費電力の低減を図ることができるという有利な効果が得られる。
【図面の簡単な説明】
【図１】本発明の実施の形態１によるワイヤレスＩＣカード読取り装置を示すブロック図
【図２】本発明の実施の形態２によるワイヤレスＩＣカード読取り装置を示すブロック図
【図３】従来のワイヤレスＩＣカード読取り装置を示すブロック図
【図４】一般的なワイヤレスＩＣカードを示す回路図
【図５】検波効率を改善するために同期検波を用いたワイヤレスＩＣカード読取り装置を示すブロック図
【図６】（ａ）一般的なＤＢＭの構成を表す回路図
（ｂ）（ａ）のＤＢＭの動作波形を表す波形図
【図７】一般的なアクティブ型ＤＢＭを示す回路図
【符号の説明】
１００、１００Ａ　ワイヤレスＩＣカード読取り装置
１０１　水晶振動子
１０２　発振回路
１０３　緩衝増幅回路
１０４　励振増幅回路
１０５　送信電力増幅回路
１０６、１１７　低域フィルタ
１０７　変調増幅部
１０８　増幅回路
１０９　ベースバンドフィルタ
１１０　変調増幅回路
１１１　アンテナ
１１２　送信アンテナ
１１３　受信アンテナ
１１４　受信復調部
１１５　帯域フィルタ
１１６　ダイオード検波回路
１１８　信号増幅回路
１１９　波形整形回路
１２０　ＤＢＭ
１２５　変復調部
１２６　第３の切り換えスイッチ
１２７　第１の切り換えスイッチ
１２８　第２の切り換えスイッチ
１２９　直流オフセット回路
２００　ワイヤレスＩＣカード
２０１　アンテナコイル
２０２　制御部
２０３　負荷変動回路
２０４　検波器
２０５　制御回路
２０６　メモリ
【図１】
2004070804.tif 000003
【図２】
2004070804.tif 000004
【図３】
2004070804.tif 000005
【図４】
2004070804.tif 000006
【図５】
2004070804.tif 000007
【図６】
2004070804.tif 000008
【図７】
2004070804.tif 000009